(57)【特許請求の範囲】
【請求項１】
ドリップされるコーヒーが収容される容器；
前記容器の上端部に安着されるフィルタ部；
前記フィルタ部の上側に配置され、前記容器に脱着可能に結合され、コーヒー豆を粉砕するためのグラインダー部；及び
前記グラインダー部を収容した状態で前記容器に脱着可能に結合される蓋を含み、
前記蓋は、お湯を入れて粉砕されたコーヒー豆が積もった前記フィルタ部を通して前記容器にお湯を注ぐのに用いられ、
前記蓋の側壁には、お湯が排出され得る排出孔が形成されることを特徴とする、ハンドドリップコーヒータンブラー。
【請求項２】
前記グラインダー部の下端部外周面は、前記容器の上端部内周面と結合され、
前記蓋の下端部内周面は、前記容器の上端部外周面と結合されることを特徴とする、請求項１に記載のハンドドリップコーヒータンブラー。
【請求項３】
前記グラインダー部は、
上側及び下側が開放されたハウジング；
前記ハウジングの中央から上下方向に延びるように配置される回転軸；
前記ハウジングの内部に配置され、前記回転軸の下端部に結合されて前記回転軸の回転により回転する雄型グラインダー；及び
前記ハウジングの内部で前記雄型グラインダーを取り囲むように配置され、前記ハウジングに固定される雌型グラインダーを含むことを特徴とする、請求項１に記載のハンドドリップコーヒータンブラー。
【請求項４】
前記グラインダー部は、前記回転軸の上端部と結合されて前記回転軸を回転させる回転レバーをさらに含むことを特徴とする、請求項３に記載のハンドドリップコーヒータンブラー。
【請求項５】
前記回転レバーは、
前記回転軸の上端部に結合される結合リンクと、前記結合リンクとヒンジ部を媒介として連結され、前記ハウジングの内側に折り畳まれるか、前記ハウジングの外側に広げられる旋回リンクとを含むことを特徴とする、請求項４に記載のハンドドリップコーヒータンブラー。
【請求項６】
前記旋回リンクには、前記旋回リンクが前記ハウジングの内側に折り畳まれるとき、前記回転軸に干渉されないように前記回転軸が通過できる貫通孔が形成されることを特徴とする、請求項５に記載のハンドドリップコーヒータンブラー。
【請求項７】
前記回転レバーは、少なくとも２つ以上のリンクで構成され、折り畳み式構造を有し、前記リンクは、湾曲した形状を有して円形の形状に折り畳まれることを特徴とする、請求項４に記載のハンドドリップコーヒータンブラー。
【請求項８】
前記排出孔は、前記蓋の側壁厚さ方向に沿って傾斜するように形成されることを特徴とする、請求項１に記載のハンドドリップコーヒータンブラー。
【請求項９】
コーヒーが収容される容器；
前記容器の上端部に安着されるフィルタ部；
前記フィルタ部の上側で前記容器に脱着可能に結合され、コーヒー豆を粉砕するためのグラインダー部；
前記容器の上端部に脱着可能に結合される蓋；及び
前記グラインダー部を保管するための収容空間が形成され、前記容器の下端部に脱着可能に結合される補助容器を含み、
前記補助容器は、お湯を入れて粉砕されたコーヒー豆が積もった前記フィルタ部を通して前記容器にお湯を注ぐのに用いられ、
前記補助容器の側壁には、お湯が排出され得る排出孔が形成されることを特徴とする、ハンドドリップコーヒータンブラー。
【請求項１０】
前記排出孔は、前記補助容器の側壁厚さ方向に沿って傾斜するように形成されることを特徴とする、請求項９に記載のハンドドリップコーヒータンブラー。
【発明の詳細な説明】
【技術分野】
【０００１】
本発明は、ハンドドリップコーヒータンブラーに関し、さらに詳細には、ドリップコーヒーを製造するのに必要なフィルタとグラインダーが一体に設けられ、家庭や事務室以外の野外でもレギュラーコーヒーを簡便に製造して飲むことができるハンドドリップコーヒータンブラーに関する。
【背景技術】
【０００２】
最近、風味と高級性によってインスタントコーヒーの代わりにレギュラーコーヒーが広く飲用されており、それに伴って、レギュラーコーヒー専門売場とレギュラーコーヒー愛好家が増えている実情である。
【０００３】
そして、家庭や一般の事務室等でレギュラーコーヒーを飲もうとする場合は、別途の粉砕装置を利用してコーヒー豆を粉にした後、これをろ過装置に投入してコーヒー液を抽出することによりレギュラーコーヒーを飲んだり、別途のエスプレッソマシンを購入してレギュラーコーヒーを飲んだりすることができる。しかし、粉砕装置及びろ過装置またはエスプレッソマシンが備えられた場所では、レギュラーコーヒー専門売場を利用しなくてもレギュラーコーヒーを摂取することが可能であるが、前記粉砕装置及びろ過装置またはエスプレッソマシンが備えられていない場所では、レギュラーコーヒー専門売場を利用しなければ、レギュラーコーヒーを摂取することができない。
【０００４】
即ち、インスタントコーヒーの場合は、インスタントコーヒーとカップ及びお湯を備えることで旅行時やその他の室外の空間でも簡便にインスタントコーヒーを摂取することができるが、レギュラーコーヒーは、インスタントコーヒーに比べて相対的に体積の大きな粉砕装置及びろ過装置またはエスプレッソマシンを備えなければならないため、旅行時やその他の室外の空間でレギュラーコーヒーを摂取することは、非常に面倒かつ不便である。
【０００５】
これによって、近来は、粉砕装置とろ過装置が小型に作製され、レギュラーコーヒー愛好家が携帯しやすく市中に販売されているが、依然として、コーヒー摂取者は、前記粉砕装置とろ過装置、そしてコーヒーカップ及びお湯が入った魔法瓶を別に準備して持たなければならない面倒さがあり、また、前記粉砕装置とろ過装置を経たコーヒー豆液をコーヒーカップに移す過程でレギュラーコーヒーの味と香りが失われる問題点がある。
【０００６】
そして、市中で販売されているエスプレッソマシンは、その価格が高いという短所があり、また、個人の好みによってレギュラーコーヒーの濃度を調節することが難しいという問題がある。
【０００７】
本願発明の先行技術文献としては、特許文献１の「こし網容器を備えたタンブラー」
がある。
【先行技術文献】
【特許文献】
【０００８】
【特許文献１】韓国公開実用新案第２０−２００９−００００６７３号公報
【発明の概要】
【発明が解決しようとする課題】
【０００９】
本発明の目的は、ドリップコーヒーを製造するのに必要な全てのコーヒー器具を「Ａｌｌ−ｉｎ−Ｏｎｅ」構造のタンブラーで提供し、使用者の携帯性を大幅に向上させることのできるハンドドリップコーヒータンブラーを提供することである。
【課題を解決するための手段】
【００１０】
本発明は、コーヒーが収容される容器；前記容器の上端部に安着されるフィルタ部；前記フィルタ部の上側に配置され、前記容器に脱着可能に結合され、コーヒー豆を粉砕するためのグラインダー部；及び、前記グラインダー部を収容した状態で前記容器に脱着可能に結合される蓋を含むことができる。
前記グラインダー部の下端部外周面は、前記容器の上端部内周面と結合され、前記蓋の下端部内周面は、前記容器の上端部外周面と結合されるものを含むことができる。
【００１１】
前記グラインダー部は、上側及び下側が開放されたハウジング；前記ハウジングの中央から上下方向に延びるように配置される回転軸；前記ハウジングの内部に配置され、前記回転軸の下端部に結合されて前記回転軸の回転により回転する雄型グラインダー；及び、前記ハウジングの内部で前記雄型グラインダーを取り囲むように配置され、前記ハウジングに固定される雌型グラインダーを含むことができる。
【００１２】
前記グラインダー部は、前記回転軸の上端部と結合されて前記回転軸を回転させる回転レバーをさらに含むことができる。
【００１３】
前記回転レバーは、前記回転軸の上端部に結合される結合リンクと、前記結合リンクとヒンジ部を媒介として連結され、前記ハウジングの内側に折り畳まれるか、前記ハウジングの外側に広げられ得る旋回リンクとを含むことができる。
【００１４】
前記旋回リンクには、前記旋回リンクが前記ハウジングの内側に折り畳まれるとき、前記回転軸に干渉されないように前記回転軸が通過できる貫通孔が形成されるものを含むことができる。
【００１５】
前記旋回リンクが前記ハウジングの外側に向かって広げられたとき、前記旋回リンクの一端が前記結合リンクの他端底面と傾斜面を有したまま面接触されるものを含むことができる。
【００１６】
前記回転レバーは、少なくとも２つ以上のリンクで構成され、折り畳み式構造を有するものを含み、前記リンクは、湾曲した形状を有して円形の形状に折り畳まれるものをさらに含むことができる。
【００１７】
前記グラインダー部は、前記ハウジングの開放された上側を覆う上側カバーをさらに含むことができる。
【００１８】
前記容器の上端部内周面には、前記フィルタ部を支持するための段差部が形成されるものを含むことができる。
【００１９】
前記フィルタ部は、前記段差部により接触支持される縁部；前記縁部の下端に漏斗状に設けられるメッシュ部；及び、前記縁部から一側に突設される把手部を含むことができる。
【００２０】
前記メッシュ部は、金属材質からなるものを含むことができる。
前記蓋は、お湯を入れて粉砕されたコーヒー豆が積もった前記フィルタ部を通して前記容器にお湯を注ぐのに用いられるものを含むことができる。
前記蓋の側壁には、お湯が排出され得る排出孔が形成されるものを含むことができる。
【００２１】
前記排出孔は、前記蓋の側壁厚さ方向に沿って傾斜するように形成されるものを含むことができる。
【００２２】
また、本発明は、コーヒーが収容される容器；前記容器の上端部に安着されるフィルタ部；前記フィルタ部の上側で前記容器に脱着可能に結合され、コーヒー豆を粉砕するためのグラインダー部；前記容器の上端部に脱着可能に結合される蓋；及び、前記グラインダー部を保管するための収容空間が形成され、前記容器の下端部に脱着可能に結合される補助容器を含むことができる。
前記補助容器は、お湯を入れて粉砕されたコーヒー豆が積もった前記フィルタ部を通して前記容器にお湯を注ぐのに用いられるものを含むことができる。
前記補助容器の側壁には、お湯が排出され得る排出孔が形成されるものを含むことができる。
【００２３】
前記排出孔は、前記補助容器の側壁厚さ方向に沿って傾斜するように形成されるものを含むことができる。
【発明の効果】
【００２４】
本発明は、従来の容器と蓋とで構成される一般的なタンブラーにコーヒー豆を粉砕するグラインダー部と、粉砕されたコーヒー豆をろ過するフィルタ部とを加え、容器、フィルタ部、グラインダー部及び蓋を一体化可能な結合構造のタンブラーを具現することにより、ドリップコーヒー（Ｄｒｉｐ  Ｃｏｆｆｅｅ）を製造するのに必要な全てのコーヒー器具を「Ａｌｌ−ｉｎ−Ｏｎｅ」構造のタンブラーで提供し、使用者の携帯性を大幅に向上させることができる。
これによって、使用者は、レギュラーコーヒー製造手段として、本発明のハンドドリップコーヒータンブラーを簡便に携帯することができるので、場所の制約を受けずに、旅行時、野外やその他の室外空間でも簡便にドリップ方式のレギュラーコーヒーを直接製造して飲むことができる。
【図面の簡単な説明】
【００２５】
【図１】本発明の実施例に係るハンドドリップコーヒータンブラーの分離斜視図。
【図２】図１のハンドドリップコーヒータンブラーの結合断面図。
【図３】本発明の他の実施例に係るグラインダー部の断面図。
【図４】図３のグラインダー部の斜視図。
【図５】図４のグラインダー部を回転レバーが広げられた状態で示した斜視図。
【図６】図５のグラインダー部の回転レバーで旋回リンクと結合リンクの結合部位を示す断面図。
【図７】図１のハンドドリップコーヒータンブラーのグラインダー部で回転レバーの変形例を説明するためのグラインダー部の部分斜視図。
【図８】図７のグラインダー部を回転レバーが広げられた状態で示した平面図。
【図９】図１のハンドドリップコーヒータンブラーで蓋にお湯を入れて蓋の排出孔を通して容器に注ぐ様子を示す斜視図。
【図１０】本発明の他の実施例に係るハンドドリップコーヒータンブラーの分離斜視図。
【発明を実施するための形態】
【００２６】
本発明の利点及び特徴、そして、それらを達成する方法は、添付の図面と共に詳細に後述されている実施例を参照すれば、明確になるだろう。
【００２７】
しかし、本発明は、以下において開示される実施例に限定されるものではなく、互いに異なる様々な形態で具現され、単に、本実施例は、本発明の開示が完全なものとなるようにし、本発明の属する技術の分野における通常の知識を有する者に発明の範疇を完全に知らせるために提供されるものであり、本発明は、請求項の範疇により定義されるだけである。
【００２８】
以下、図１乃至図９を参照して、本発明の一実施例に係るハンドドリップコーヒータンブラーを詳細に説明する。本発明を説明するにあたって、関連の公知の機能あるいは構成についての具体的な説明は、発明の要旨を濁すことがないようにするために省略する。
【００２９】
図１は、本発明の一実施例に係るハンドドリップコーヒータンブラーの分離斜視図であり、図２は、図１のハンドドリップコーヒータンブラーの結合断面図である。
【００３０】
本発明のハンドドリップコーヒータンブラー１００は、飲料液（コーヒー）が貯蔵される容器と、前記容器の上部を覆う蓋とで構成された従来のタンブラーに、コーヒー豆を粉砕するグラインダー部３０と、粉砕されたコーヒー豆をろ過するフィルタ部２０を加え、図１及び図２に示されたように、容器１０、フィルタ部２０、グラインダー部３０及び蓋４０を一体化可能な結合構造のタンブラー、即ち、ドリップコーヒーを製造するのに必要な全てのコーヒー器具を「Ａｌｌ−ｉｎ−Ｏｎｅ」構造のタンブラーで提供し、使用者の携帯性を大幅に向上させたことに最も大きな技術的特徴がある。
【００３１】
このために、本発明の一実施例に係るハンドドリップコーヒータンブラー１００は、図１及び図２に示されたように、ドリップされるコーヒーが収容される容器１０と、容器１０の上端部に安着されるフィルタ部２０と、フィルタ部２０の上側に配置され、容器１０に脱着可能に結合され、コーヒー豆を粉砕するためのグラインダー部３０と、グラインダー部３０を収容した状態で容器１０に脱着可能に結合される蓋４０とを含む。
【００３２】
図１及び図２を参照すると、容器１０は、グラインダー部３０により粉砕されたコーヒー豆が積もったフィルタ部２０が安着された状態でフィルタ部２０を通してお湯を注ぐ時にドリップされるコーヒーが収容される。このとき、容器１０の上端部内周面には、図１及び図２に示されたように、フィルタ部２０を支持するための段差部１１が形成される。図１及び図２において、段差部１１は、容器１０の上端内周面でその内周面の周り方向に沿って延びて容器１０の回転中心方向に突設されるが、本発明において、段差部１１は、これに限定されず、複数個で構成され、容器１０の内周面の一部で互いに一定の間隔をおいて容器１０の回転中心方向に突設されてもよい。
【００３３】
図１及び図２を参照すると、フィルタ部２０は、容器１０の段差部１１の上面と底面が接触されるリング状の縁部２１と、縁部２１の下端に漏斗状に備えられるメッシュ部２２と、縁部２１から一側に突設される把手部２３とを含む。このような構成を有するフィルタ部２０は、グラインダー部３０により粉砕されたコーヒー豆をろ過する役割をし、図２に示されたように、容器１０の段差部１１により支持された状態で容器１０の内部に配置される。メッシュ部２２は、金属材質のメッシュ網で設けられるか、または一般にこし紙と称する紙材質のろ紙で設けられてもよい。把手部２３は、縁部２１を容器１０の段差部１１に安着または離脱させる時に使用者が指で把持する部分である。本実施例においては、把手部２３が縁部２１の上面から上向きに突設されるものと説明及び図示されたが、本発明は、これに限定されず、把手部２３が縁部２１の内周面から縁部２１の回転中心方向に突設され得ることはもちろんである。
【００３４】
図１及び図２を参照すると、グラインダー部３０は、コーヒー豆が投入されるハウジング３１と、ハウジング３１の中央から上下方向に延びるように配置される回転軸３２と、ハウジング３１の内部に配置され、回転軸３２の下端部に結合されて回転軸３２の回転により回転する雄型グラインダー３３と、ハウジング３１の内部で雄型グラインダー３３を取り囲むように配置され、ハウジング３１に固定される雌型グラインダー３４と、回転軸３２０の上端部と結合されて回転軸３２０を回転させる回転レバー３６０とを含む。また、グラインダー部３０は、ハウジング３１の上部を覆う上側カバー３５をさらに含む。
【００３５】
グラインダー部３０のハウジング３１は、コーヒー豆が投入される上側が開放され、粉砕されたコーヒー豆がフィルタ部２０に入るように下側が開放されている。ハウジング３１の内部には、回転軸３２が挿入され得る軸孔３１ｂが形成された支持部３１ａが備えられる。支持部３１ａは、ハウジング３１の内周面の一部でハウジング３１の回転中心方向に向かって複数個で突設され得る。ハウジング３１の下側と容器１０の上側は、互いに脱着可能に結合されるが、本実施例においては、ハウジング３１の下端外周面と容器１０の上端内周面に互いに対応して結合され得るネジ加工部Ｓを形成させ、ハウジング３１の下端部と容器１０の上端内側が互いに脱着可能に結合される。
【００３６】
グラインダー部３０の雄型グラインダー３３は、雌型グラインダー３４の下部から上雌型グラインダー３４と相対的に一定の間隔をおいて対向結合され、回転軸３２の回転により回転する。雄型グラインダー３３の中央部には、回転軸３２が挿入され得る回転軸挿入孔３３ａが形成される。そして、雄型グラインダー３３の外面と雌型グラインダー３４の内周面には、ハウジング３１の上部から投入されるコーヒー豆を粉砕できる粉砕鋸刃（図示しない）が形成される。一方、グラインダー部３０の回転軸３２の下端には、雄型グラインダー３３の高さを調節して雄型グラインダー３３と雌型グラインダー３４の間隔を調節する締め付け具３８が備えられる。
【００３７】
グラインダー部３０の上側カバー３５は、図２に示されたように、コ字状の断面を有し、ハウジング３１の開放された上側を覆う形状にハウジング３１の上端に置かれる。このとき、上側カバー３５の中央には、回転軸３２が通過できる貫通孔３５ａが形成される。このような上側カバー３５は、ハウジング３１内で粉砕されるコーヒー豆がハウジング３１の開放された上側を通して外に飛び出さないようにする機能をする。
【００３８】
グラインダー部３０の回転レバー３６は、ハウジング３１の上部に突出した回転軸３２の上端部と一端が固定的に結合されて回転軸３２を回転させる。このとき、回転レバー３６の他端には、使用者が回転レバー３６を回転させやすく把手部３６ａが備えられる。参考までに、回転レバー３６は、蓋４０が容器１０の上端と結合されたとき、蓋４０の内部空間に配置され得る長さと形状的大きさを有することが好ましい。
【００３９】
図３は、本発明の他の実施例に係るグラインダー部の断面図であり、図４は、図３のグラインダー部の斜視図であり、図５は、図４のグラインダー部を回転レバーが広げられた状態で示した斜視図であり、図６は、図５のグラインダー部の回転レバーで旋回リンクと結合リンクの結合部位を示す断面図である。
【００４０】
図３乃至図６を参照すると、本発明の他の実施例に係るグラインダー部３００は、コーヒー豆が投入されるように上側が開放されたハウジング３１０と、ハウジング３１０の中央から上下方向に延びるように配置される回転軸３２０と、ハウジング３１０の内部に配置され、回転軸３２０の下端部に結合されて回転軸３２０の回転により回転する雄型グラインダー３３０と、ハウジング３１０の内部で雄型グラインダー３３０を取り囲むように配置され、ハウジング３１０に固定される雌型グラインダー３４０と、回転軸３２０の上端部と結合されて回転軸３２０を回転させる回転レバー３６０とを含む。
【００４１】
また、グラインダー部３００は、回転軸３２０の上部に結合され、雄型グラインダー３３０と雌型グラインダー３４０との間の間隔を調節する締め付け具３５０と、締め付け具３５０の下端部に位置した回転軸３２０の外周面に備えられ、雄型グラインダー３３０と雌型グラインダー３４０が互いに協力してコーヒー豆を粉砕するとき、雄型グラインダー３３０に緩衝力を提供する圧縮ばね３７０をさらに含む。
【００４２】
グラインダー部３００の回転レバー３６０は、垂直折り畳み式構造であって、図３乃至図５に示されたように、回転軸３２０の上端部に一端が結合される結合リンク３６１と、結合リンク３６１の他端に備えられたヒンジ部ｈを媒介として結合リンク３６１と連結され、ハウジング３１０の内側に折り畳まれるか、ハウジング３１０の外側に広げられ得る旋回リンク３６３とを含む。
【００４３】
旋回リンク３６３は、ヒンジ部ｈにより結合リンク３６１の他端で１８０度で旋回可能であり、そこで、使用者がコーヒー豆を粉砕するために回転軸３２０を回転させるとき、旋回リンク３６３を図５に示されたようにハウジング３１、３１０の外側に１８０度旋回させた後、旋回リンク３６３の他側に備えられた把手部３６３ａを把持してコーヒー豆粉砕方向に旋回リンク３６３を回転させればよい。逆に、コーヒー豆粉砕作業を終えた後は、図４に示されたように、旋回リンク３６３がハウジング３１０の内側に折り畳まれ、ハウジング３１０が占める面積内に含まれるようにする。そこで、蓋４０が容器１０の上端と結合されたとき、回転レバー３６０は、蓋４０の内部空間に全て配置され得るようになる。このとき、旋回リンク３６３には、旋回リンク３６３がハウジング３１０の内側に折り畳まれるとき、回転軸３２０に干渉されないように回転軸３２０が通過できる貫通孔３６３ｂが形成される。これとは異なり、貫通孔３６３ｂの代わりに旋回リンク３６３の中段部に湾曲部（図示しない）を形成し、回転レバー３６０が回転軸３２０に干渉されない状態で折り畳まれるように構成することもできる。
【００４４】
一方、旋回リンク３６３は、ハウジング３１０の外側に向かって広げられたとき、旋回リンク３６３の一端が結合リンク３６１の他端底面と傾斜面を有したまま面接触され、結合リンク３６１の他端を傾斜方向に加圧するように構成される。このような構成により、使用者が旋回リンク３６３を回転させるとき、結合リンク３６１の他端部が旋回リンク３６３の一端部を通して伝達される力により折れるか、破損することが防止され得るが、これは、旋回リンク３６３の一端部が傾斜面を有したまま結合リンク３６１の他端部と接触されることにより、結合リンク３６１の他端に加えられる力が垂直及び水平方向に分散され得るためである。
【００４５】
図７は、図１のハンドドリップコーヒータンブラーのグラインダー部で回転レバーの変形例を説明するためのグラインダー部の部分斜視図であり、図８は、図７のグラインダー部を回転レバーが広げられた状態で示した平面図である。
【００４６】
図７及び図８を参照すると、回転レバー３７０は、水平折り畳み式構造でヒンジ部ｈにより連結される複数個のリンク部３７１、３７２で設けられる。リンク部３７１、３７２は、回転軸３２の上端部に一端が結合される結合リンク３７１と、結合リンク３７１の他端に連結され、弧の形状あるいは湾曲した形状を有する複数個の旋回リンク３７２とを含む。そこで、リンク部３７１、３７２は、図７に示されたように、円形の形状に折り畳まれてハウジング３１の内側に配置される一方、使用者がコーヒー豆を粉砕するために回転軸３２を回転させる時は、複数個の旋回リンク３７２が、図８に示されたように、ハウジング３１の外側に広げられ得る。
【００４７】
上記のような構成を有する図４及び図５の回転レバー３６０と、図７及び図８の回転レバー３７０は、垂直折り畳み式または水平折り畳み式構造であって、平常時は、グラインダー部３０、３００のハウジング３１、３１０の面積に含まれた状態で保管可能でありながらも、使用者がグラインダー部３０、３００を通してコーヒー豆を粉砕する時は、ハウジング３１、３１０が占める面積から外れた状態で広げられ、ハウジング３１、３１０の面積に含まれる長さ及び大きさを有する回転レバーの回転半径より大きな回転半径で回転するので、使用者が相対的に小さな力でコーヒー豆を迅速かつ便利に粉砕することができる利点がある。
【００４８】
図９は、図１のハンドドリップコーヒータンブラーで蓋にお湯を入れて蓋の排出孔を通して容器に注ぐ様子を示す斜視図である。
【００４９】
図１、図２及び図９を参照すると、蓋４０は、容器１０にフィルタ部２０とグラインダー部３０が結合された状態で容器１０と結合する。このとき、蓋４０は、グラインダー部３０を収容した状態で容器１０に結合されるので、容器１０の上端部に結合されたグラインダー部３０を収容することのできる十分な内部空間を有する。一方、前述したように、容器１０の上端部内周面は、グラインダー部３０の下端部外周面と結合されるので、蓋４０は、容器１０の外径より大きな内径を有し、その下端部内周面が容器１０の上端部外周面と結合されることが好ましい。本実施例においては、蓋４０の下端部内周面と容器１０の上端外周面に互いに対応して結合できるネジ加工部（図示しない）を形成させ、蓋４０と容器１０が互いに脱着可能に結合される。ただし、蓋４０と容器１０の結合方式は、これに限定されず、嵌合方式等、様々な公知の結合方式が適用され得ることはもちろんである。
【００５０】
一方、蓋４０は、図９に示されたように、お湯を入れて粉砕されたコーヒー豆が積もったフィルタ部２０を通して容器１０にお湯を注ぐのに用いられる。即ち、蓋４０は、その名称の通り、容器１０を覆う「蓋」の役割以外にも、容器１０に水を注ぐことのできるヤカンの役割もする。このとき、ハンドドリップコーヒーの製造において、注ぐ水に対する調節は、コーヒーの味と香りに大きな影響を与えるので、蓋の側壁には、流れ落ちる水を少量に細かく調節できるようにお湯が排出される排出孔４１が形成されることが好ましい。排出孔４１は、蓋４０の側壁厚さ方向に沿って傾斜するように形成されることがさらに好ましいが、具体的には、蓋４０に形成された開口部が下端に位置したとき、蓋４０の厚さ方向に沿って内周面から外周面に行くほど下向き傾斜するように形成される。排出孔４１は、蓋４０の内部に十分な水が収容され得るように、蓋４０の開口部に隣接した側壁に形成されることが好ましい。
【００５１】
以下、図１、図２及び図９を参照して、前記のような構成により、本発明の一実施例に係るハンドドリップコーヒータンブラーの使用例を説明する。
【００５２】
先ず、レギュラーコーヒーを飲もうとするとき、使用者は、蓋４０を容器１０の上端部から分離させる。
【００５３】
その後、使用者は、用意したコーヒー豆をグラインダー部３０のハウジング３１の内部に投入させる。このとき、グラインダー部３０に上側カバー３５がある場合は、上側カバー３５をハウジング３１の上端から分離させた後、用意したコーヒー豆をハウジング３１の内部に投入させる。
【００５４】
その後、使用者が回転レバー３６を利用して回転軸３２を回転させると、ハウジング３１にあるコーヒー豆が粉砕される。
【００５５】
その後、コーヒー豆粉砕作業が完了すると、使用者は、容器１０の上端部からグラインダー部３０を分離させる一方、蓋４０にお湯を入れる。
【００５６】
その後、使用者は、蓋４０に入ったお湯を蓋４０に形成された排出孔４１を通してフィルタ部２０に注ぐ。
【００５７】
最後に、使用者は、容器１０からフィルタ部２０を分離させた後、容器１０に入ったレギュラーコーヒーを飲めばよい。
【００５８】
以下、図１０を参照して、本発明の他の実施例に係るハンドドリップコーヒータンブラーを詳細に説明する。
本発明の他の実施例に係るハンドドリップコーヒータンブラー２００は、図１０に示されたように、ドリップされるコーヒーが収容される容器１０’と、容器１０’の上端部に安着されるフィルタ部（図示しない、図１参照）と、前記フィルタ部の上側で容器１０’に脱着可能に結合され、コーヒー豆を粉砕するためのグラインダー部３０’と、容器１０’の上端部に脱着可能に結合される蓋８０と、グラインダー部３０’を保管するための収容空間が形成され、容器１０’の下端部に脱着可能に結合される補助容器９０とを含む。
【００５９】
参考までに、本発明の他の実施例に係るハンドドリップコーヒータンブラー２００の容器１０’、フィルタ部（図示しない）及びグラインダー部３０’は、前述した一実施例に係るハンドドリップコーヒータンブラー１００の容器１０、フィルタ部２０及びグラインダー部３０、３００と実質的に同一の構成を有するので、これについての詳細な説明は、前述した実施例を準用することとする。
【００６０】
蓋８０は、容器１０’の開放された上部を覆うことができる形状及び大きさを有するが、本実施例においては、容器１０’の上端部が挿入されて収容され得る収容溝が形成されたキャップの形状を有する。このとき、蓋８０には、容器内の飲料液を外部に排出させる排出孔が上面に形成され得、前記排出孔は、蓋８０の上面に備えられた別途の遮断部材により開閉できる。
【００６１】
蓋８０と容器１０’の結合方式は、容器１０’の上端部を蓋８０の収容溝に締まりばめ方式で挿入させる方式が用いられ得、このとき、蓋８０は、ゴム材質や弾性力を有するプラスチック材質で作製されることが好ましい。また、蓋８０と容器１０’の結合方式は、このような締まりばめ結合方式に限定されず、先に多く説明されたネジ加工部によるネジ結合方式が用いられてもよい。即ち、蓋８０の内周面と容器１０’の上端外周面にネジ加工部（図示しない）をそれぞれ形成させることにより、ネジ結合方式で蓋８０と容器１０’が互いに結合されてもよい。
【００６２】
補助容器９０は、図１０に示されたように、グラインダー部３０’を保管するための収容空間が内部に形成される。そして、補助容器９０の上端部と容器１０’の下端部は、互いに脱着可能に結合される。このとき、補助容器９０と容器１０’が結合される方式は、ネジ加工部による回転方式や締まりばめ方式等の様々な公知の結合方式が用いられ得る。参考までに、本実施例においては、補助容器９０の上端内周面と容器１０’の下端外周面に互いに対応して結合できるネジ加工部Ｓを形成させ、補助容器９０と容器１０’が互いに脱着可能に結合される。これによって、補助容器９０は、グラインダー部３０’が用いられない時にグラインダー部３０’が保管され得る収容空間を提供することができる。一方、補助容器９０の収容空間には、グラインダー部３０’の他にも前記フィルタ部（図示しない）が保管されてもよい。
【００６３】
一方、補助容器９０は、容器１０’に水を注ぐことができるヤカンの役割をするが、そこで、補助容器９０の一側壁には、お湯が排出され得る排出孔９１が形成され得る。このとき、排出孔９１は、補助容器９０に形成された開口部が上部に位置したとき、補助容器９０の側壁厚さ方向に沿って内周面から外周面に行くほど、上向き傾斜するように形成されることが好ましい。
【００６４】
上記のような構成により、本発明の他の実施例に係るハンドドリップコーヒータンブラー２００は、グラインダー部３０’が補助容器９０に保管され、コーヒー豆粉砕作業を実施する時にのみ補助容器９０から取り出され、容器１０と結合されて用いられ得るため、前述した実施例に係るハンドドリップコーヒータンブラー１００と同様に、ドリップ方式のレギュラーコーヒーを製造するのに必要な全てのコーヒー器具を「Ａｌｌ−ｉｎ−Ｏｎｅ」構造のタンブラーで提供し、使用者の携帯性を大幅に向上させることができる一方、レギュラーコーヒーを摂取する時に、グラインダー部３０’はもちろん、フィルタ部（図示しない）も補助容器９０に保管できるので、外部環境によりグラインダー部３０’とフィルタ部２０’が汚れることを防止でき、併せて、これらの紛失の恐れも減らすことができる。
【００６５】
これまで、本発明に係る具体的な実施例について説明したが、本発明の範囲から外れない限度内では、種々の変形が可能であることはもちろんである。
それゆえ、本発明の範囲は、説明された実施例に限定して定められてはならず、後述する特許請求の範囲だけでなく、この特許請求の範囲と均等なものにより定められるべきである。
【産業上の利用可能性】
【００６６】
本発明は、レギュラーコーヒー専門店、コーヒーメーカー販売店等で消費者に販売されるように利用され得る。
【図１】
0006319431.tif 000002
【図２】
0006319431.tif 000003
【図３】
0006319431.tif 000004
【図４】
0006319431.tif 000005
【図５】
0006319431.tif 000006
【図６】
0006319431.tif 000007
【図７】
0006319431.tif 000008
【図８】
0006319431.tif 000009
【図９】
0006319431.tif 000010
【図１０】
0006319431.tif 000011